(57)【要約】      （修正有）【課題】原料シートを極限まで少なくし、テープや接着剤等を使用しないで開閉口を可能にすること、及び組み立てた箱容器の強度が高く、箱容器内に被包装物を充填して、積層したとき、傾けてもズレたり、荷崩れしない箱容器を提供する。【解決手段】閉口フラップの折込む順序を変えることでフラップの支柱作用を働かせて強度を高め、フラップＦ３、Ｆ３’がフラップＦ２の上面に出る事と、フラップＦ４に延設された差込み部の上部を押えてフラップＦ２の下部に嵌入させることで、フラップ相互の拮抗応力により箱容器が座屈しない様、タイトに閉口される様構成され、被包装物が箱容器内に満杯に入った場合は、フラップＦ４の長尺部に山折り線Ｐを設けて、差込み部がフラップＦ２の下部にスライド嵌入出来るようにした。更に、箱容器を積層した時、相互にズレることなく荷崩れ防止できる様、下面フラップに凹部と上面フラップに凸部を設け、嵌合させる様構成した。【選択図】図５
2017222420.tif 000002
【特許請求の範囲】
【請求項１】
一枚のシートで箱容器が作られ、長さ面及び幅面の上下にフラップを持ち、継しろＪでグルー接合して、組み立てられた四角形とされた側壁２（ａ）、２（ｂ）の上面に延設された，フラップＪ’、Ｆ２、Ｆ３、Ｆ３’、Ｆ４を備え、下面方向に延設されたフラップＦ１、Ｆ１’、Ｆ２、Ｆ３、Ｆ３’、Ｆ４を容器本体に持つ箱容器に於いて、フラップの折り込みの順序を固有の特徴とし、その面と面との拮抗する応力により閉口し、フラップＦ３、Ｆ３’がフラップＦ２の上面をカバーし、フラップＦ４に延設された差込み部ｆをフラップＦ２の下に嵌入させて、テープや接着剤等を必要とせず・内外部よりの衝撃により座屈しない構造を備えたことを特徴とする箱容器。
【請求項２】
下面開口部フラップＦ２が座屈しないように、フラップＦ３、Ｆ３’にコの字型に切込みを入れ、フラップＦ１、Ｆ１’を設けるとともに、上面開口部に於いては、継しろＪに延設されたフラップＪ’が、フラップＦ２をそれぞれの次に折込んだとき、座屈を防止するよう構成され、次にフラップＦ３，Ｆ３’の中央部より内側に向かって、切込み部Ｉを入れることで、フラップＦ４に延設された差込み部ｆの上部を押えることで、フラップＦ２の下部にスムースに嵌入する様、構成されたことを特徴とする請求項１に記載の箱容器。
【請求項３】
該容器の下面において、フラップＦ１、Ｆ１’、Ｆ２、Ｆ３、Ｆ３’、Ｆ４の順序でフラップ面を重ね合わせたとき、フラップＦ２の長尺面が支柱の機能を果たし、側壁２（ａ）、２（ａ）方向からの衝撃に対して強度を高め、又、フラップＦ３、Ｆ３’の切込み部Ｉの断面と、フラップＦ４のシートのの断面が接合し、更に、フラップＦ２の下部に差ｆが嵌入することにより、フラップＦ２とフラップＦ４の先端部の断面が接合するので、相対する側壁２（ｂ）、２（ｂ）の外側からの衝撃により、箱容器が座屈しない様構成された、請求項１、請求項２に記載の箱容器。上面においては、フラップＪ’、Ｆ２、Ｆ３、Ｆ３’、Ｆ４の順序で折込むことで、下面同様の側壁２（ａ）、２（ａ）、２（ｂ）、２（ｂ）からの衝撃に対して強度を保持する様構成された、請求項１、請求項２に記載の箱容器。
【請求項４】
該箱容器の上面において、箱容器内に被包装物が満杯に充填された場合の閉口方法として、フラップＦ４の長尺部に山折り線Ｐを入れる事により、折り曲げて差込み部ｆをフラップＦ２の下部にスライド嵌入させることで、閉口出来るよう構成された、請求項１、請求項２、請求項３に記載の箱容器。
【請求項５】
該箱容器どうしを組み立てて、ブロック積みしたとき、相互にズレないように、箱容器の下面フラップＦ３、Ｆ３’にコの字型の切込みを入れて形成した、フラップＦ１、Ｆ１’を折り曲げて形成した凹部ｉ、ｉ’に、別に組み立てた箱容器の上面部フラップＦ４の両端に凸部折込み部ｇ、ｇ’を、切込み部ｏ、ｏ’を入れ、裏側に切れ目を入れ谷折り線ｈ、ｈ’で折り曲げ、接着した凸部２ｇ、２ｇ’が嵌合するように構成してなることを、特徴とする請求項１、請求項２、請求項３、請求項４に記載の箱容器。同様にＪＩＳ規格段ボールの形式に於けるコード番号０２０１〜０２０５等の箱容器においては、下面部の外部フラップの表面シートと、中芯部に切り目を入れプレスした凹部，ｎ１、ｎ２、ｎ３、ｎ４、を形成し、上面部の外側フラップシートに切込み部ｍを入れ、シートの裏側に切り目を入れた、谷折り線ｋ、ｋ’を設けた凸部折込み部ｓ、ｓ’。その凸部折込み部ｓ、ｓ’を谷折り線ｋ、ｋ’で折り曲げて接着した凸部２ｓ１．２ｓ２、２ｓ３、２ｓ４を形成した箱容器を別に組み立てた同様の箱容器とブロック積して、積層したとき凹部ｎ１、ｎ２、ｎ３、ｎ４と、凸部２ｓ１，２ｓ２，２ｓ３、２ｓ４が嵌合することによりズレないため、荷崩れを防止出来ることを特徴とする箱容器。
【発明の詳細な説明】
【技術分野】
【０００１】本発明は，段ボール箱等の紙器、その他の材料の箱容器に関する。
【背景技術】
【０００２】従来、種々の物品を収納するための箱容器が、種々の材料にて提供されている。段ボール箱等に於いても、トムソン等の打ち抜き型で形成され、組み立て前は、扁平な状態で供給され、利用者が箱容器に組立て実用に供されている。
【先行技術文献】
［ＪＩＳ規格表］
【０００３】日本工業規格段ボ―ルの形式
［ＪＩＳ  Ｚ１５０７−１９８９（２０００確認）］
【発明の概要】
【発明が解決しようとする課題】
【０００４】従来の段ボール等の場合は、種々の物品を収納し、テープ又は接着剤等を用いて閉口するのを常とし、ＪＩＳ規格コード番号０２０１（旧形式Ａ−１形）は、段ボールの中で９５パーセントと最も多く使用されているが、これらはすべて先述したよう、にテープや接着剤等を用いて閉口するのを常としている。更に、被包装物の一部をを取り出して、再度閉口する時に、よく卍状にフラップを折り閉口するケースが見受けられるが、フラップが変形したり、手指に無理が掛かり好ましくない。【０００５】従って、多数の折り畳んだ箱容器を組み立てるのに際し、関連資材等のコストとともに保管場所が必要となる。【０００６】同様にテープをはがしたり、接着剤付着部を剥離する折に、板紙の表面が剥がれて見栄えが悪くなり、リユースでき難く原料としてリサイクルに回すのがほとんどである。【０００７】箱容器を組み立てて商品を入れた複数の箱容器をパレット等に積層して、トラックに積み込むとき、箱容器の接する面がフラットで摩擦が少ないため、動き出して傾斜地やカーブ等で、又、ブレーキ時のスリップ等により荷崩れが起こるためプラスチックラップ等によりラッピングをするのが常であるが、ラップは原料として、焼却時にダイオキシンの発生する塩化ビニールが多く使用されているため、環境問題として好ましくない
【問題を解決するための手段】
【０００８】そこで、本発明が上記課題を解決するための手段として知見を得て構成したところは、フラップを重ねる順番を変える事と、フラップに工夫をする事により、フラップ相互に拮抗応力が働く様になり、最後に折り込むフラップに差込み部ｆを設ける事により、閉口出来る様に箱容器を構成する。尚、底部においても内容物を入れても底面内側からの圧力により開口することなく、又、上部においても、上面各フラップの拮抗応力により同様に安定した閉口が出来る。又、開口時には差し込み部ｆの位置するフラップＦ２の上部を指で押圧することで開口出来る。更に、例えば絵画や着物等の比較的薄い内容物を入れたり、箱容器内に内容物を満杯に入れる場合は、フラップＦ４に山折り線Ｐを入れて折ることにより差し込み部ｆがフラップＦ２の下に嵌入し閉口が出来るように構成されている。
【０００９】箱容器を組み立てる時、まず底面部のフラップＦ１、Ｆ１’を内側に折り込み、次にフラップＦ２を折り込み、更に、フラップＦ３、Ｆ３’を折り込み、最後にフラップＦ４に延設された差し込み部ｆがフラップＦ２の下部に嵌入することで箱容器の下部は完成する。フラップＦ１，Ｆ１’は、フラップＦ２が座屈しないように具備されている。上面部においては、底面部と同じであっても良いが、継ぎしろＪの延設部のフラップＪ’によりフラップＦ２が座屈しないよう構成されている。
【００１０】フラップＦ４にて閉口する時、フラップＦ３、Ｆ３’の中央部より内側に向かって切込み部Ｉを設ける事により、差し込み部ｆがフラップＦ２の下にスムースに嵌入し易くなるように構成されている。
【００１１】箱容器を組み立てて同方向に数段積層していった時、傾かないように上面部フラップＦ２とＦ４が、下面部のフラップＦ２とＦ４を逆方向に配置してある。
【００１２】箱容器を組みたてた時、フラップＦ３、Ｆ３’がフラップＦ２をカバーするので、上部から荷重や押圧によるフラップＦ２の座屈を防げるよう構成されている。
【００１３】箱容器を開口する時は、差し込み部ｆが嵌入した上部フラップＦ２の開口抑え部Ｇを指等で押圧ことで、差し込み部ｆが解除され開口出来、又、内容物が満杯に入っている時には、フラップＦ４の山折り線Ｐで曲げて差込み部ｆをスライド解除させて、開口されるよう構成されている。
【００１４】該箱容器は、コスト面において、最も普及しているＪＩＳコード０２０１と比較しても差込み部ｆのみの原紙が必要なだけで、差し込み部ｆはトムソンで打ち抜きしているか、別途接着剤で付けてもよい。ＪＩＳ０２０１の段ボールと比較して、テープ等のコストもかからずリユースも出来るため安価に提供できる。
【００１５】該箱容器は、フラップＦ３、Ｆ３’の長さをフラップＦ２の長尺部の長さの半分まで調整が自由に出来るよう構成されている。その場合フラップＦ４に延設された差し込み部ｆを押圧して、フラップＦ２の下部に嵌入出来るように、切込み部Ｂが設けられている。
【００１６】更に、フラップＦ３、Ｆ３’の切込み部Ｉに垂直に切抜き部Ｅ、Ｅ’を設けることにより差込み部ｆが指等で押圧することでフラップＦ２の下部に嵌入するよう構成されている。
【発明の効果】
【００１７】請求項１に記載の本発明によれば、箱容器１は下面においてフラップＦ１、Ｆ１’を内側に折り込みその上にフラップＦ２を折り重ね、又その上にフラップＦ３、Ｆ３’を折り重ね、最後にフラップＦ４とともに、該フラップに延設された差し込み部ｆが、フラップＦ２の下部に嵌入することにより、各フラップ相互に拮抗応力が働き、しっかりとした閉口が可能となる。又、上面において継しろフラップＪ’、Ｆ２、Ｆ３、Ｆ３’、Ｆ４とともに該フラップに延設された差し込み部ｆがフラップＦ２の下部に嵌入することにより、下面部同様、各フラップ相互に拮抗応力が働き、しっかりと閉口が可能となるため、テープや接着剤を用いなくてもよい。
【００１８】請求項２に記載の本発明によれば、箱容器１の下面において、フラップＦ２が座屈しないように、フラップＦ１、Ｆ１’が支えることにより、フラップＦ４に延設された差込み部ｆを押圧することでスムースに嵌入後閉口し、又、開口時は差し込み部ｆの上部のフラップＦ２上の開口抑押さえ部Ｇを指等で押圧することでスムースに開口できる。又、箱容器１の上面においては、継しろＪ（グルー接合部）に延設されたフラップＪ’を内側に折り込むことにより、フラップＦ２を支えることで、座屈を防止できる構造となり、フラップＦ１、Ｆ１’を設けなくとも開口、閉口が可能となる。
【００１９】請求項２に記載の本発明によれば、、フラップＦ３、Ｆ３’に切込み部Ｉを設けることにより、差し込み部ｆをフラップＦ２の下部に嵌入させる時、フラップＦ３、Ｆ３’が妨げになるのを避けることが可能となる。
【００２０】請求項３に記載の本発明によれば、従来の段ボールＪＩＳコード番号２０１（旧形式Ａ−１形）等における、上面、下面における内側に折り込まれる対辺にあるフラップは、垂れ下がった状態であるため、本来側壁２（ａ）、２（ａ）よりの衝撃に弱い性質があるが、該箱容器の場合、フラップＦ２がフラップＦ３、Ｆ３’の下方にあって、支柱の作用により側壁２（ａ）、２（ａ）よりの衝撃に強く、座屈し難いよう構成されている。又、側壁２（ｂ）、２（ｂ）側の衝撃に対しても、フラップＦ３、Ｆ３’がフラップＦ４の下方に位置しているのと、フラップＦ３、Ｆ３’の切込み部Ｉのシートの断面とフラップＦ４のシートの断面が接合する構造となっているので、両面からの衝撃に対して、強い箱容器の構成となっている。
【００２１】請求項４に記載の本発明によれば、とくに薄い被包装物を入れる場合や、満杯に被包装物が入った場合、閉口フラップと被包装物の間に空間がないために開口押さえ部Ｇが機能しないため、フラップＦ４に山折り線Ｐを入れ折り曲げて、差し込み部ｆをフラップＦ２の下にスライド嵌入させて閉口が可能となる。又、開口する場合にはフラップＦ４の断面に指を掛けて山折り線Ｐを折り曲げ開口することが可能となる。
【００２２】請求項５に記載の本発明によれば、組み立てた箱容器どうしを積層する際に、箱容器の下面において、フラップＦ３、Ｆ３’の中にコの字形に切り込みを入れて形成したフラップＦ１、Ｆ１’を折り込み、フラップＦ３、Ｆ３’に空いた凹部ｉ、ｉ’に嵌入するように上面フラップＦ４の両端部ｇ、ｇ’が表部に向かって折り込まれて、接着された２ｇ、２ｇ’が形成されることで箱容器どうしが嵌合して、前後、左右に傾いても荷崩れしないよう構成されている。但し、ｉ、ｉ’及び２ｇ、２ｇ’の位置については、嵌合できれば良く、これ以外でもよい。又、ＪＩＳコード番号０２０１（旧形式Ａ−１形）、等の従来からある段ボール箱の底面部分の四隅の方形部分に表紙と中芯部分に切れ目をいれ、プレスをした凹部ｎ１，ｎ２，ｎ３，ｎ４に嵌入するように、段ボールの上面部分の四隅に切込み部ｍを設け谷折り線ｋ、ｋ’の裏面に切れ目をいれ、谷折り線ｋ、ｋ’で四隅を折り返し接着して形成した凸部２ｓ１、２ｓ２、２ｓ３、２ｓ４を設けている。そのため箱容器を組み立て積層したときｎ１，ｎ２，ｎ３，ｎ４部の凹部と、２ｓ１，２ｓ２，２ｓ３，２ｓ４の凸部が嵌合するので箱容器の側壁が揃って整然さを増し、ブロック積してもズレないので、トラックの荷台にパレット積して移動するときも、荷崩れを防止できる。
【図面の簡単な説明】
【００２３】
【図１】は、本発明の第１実施形態における箱容器に関する（Ａ）は、フラップＦ４の伸延部の両端部に切込み部ｏ，ｏ’を入れ、谷折り線ｈ、ｈ’の裏面に沿って切れ目を入れた折り込み部ｇ，ｇ’を設けた展開図である。（Ｂ）は、折り込み部ｇ、ｇ’を谷折り線ｈ、ｈ’で表面に折り込んで、接着した凸部２ｇ、２ｇ’を設けた展開図である。
【図２】は、本発明の第１実施形態における箱容器に関する（Ａ）は、閉口過程におけるフラップＦ１、Ｆ１’を内側に折り込み、その上にフラップＦ２を折り重ねた状態を示す斜視図である。（Ｂ）は、更に、その上にフラップＦ３、Ｆ３’を重ねた状態を示す斜視図である。（Ｃ）は、フラップＦ４に延設された差し込み部ｆをフラップＦ２の下部に嵌入させた斜視図である。
【図３】は、本発明の第２実施形態における箱容器に関する（Ａ）は、その展開図である。（Ｂ）は、上部開口状態の箱容器を示す斜視図である。
【図４】は、本発明の第２実施形態における（Ａ）は、閉口過程におけるフラップＦ１、Ｆ１’を内側に折り込み、その上に、フラップＦ２を折り重ねた状態を示す斜視図である。（Ｂ）は、さらにその上にフラップＦ３、Ｆ３’を重ねた斜視図である。Ｆ３、Ｆ３’は、接合した状態を示す。（Ｃ）は、フラップＦ４に延設された差し込み部ｆをフラップＦ２の下部に嵌入させた状態を示す斜視図である。
【図５】は、本発明の第１実施形態における箱容器に関する（Ａ）は、箱容器を組み立てた状態を示し、（Ｂ）は、別の箱容器を組み立てて、積層した状態を示す。
【図６】は、本発明の第３実施形態における箱容器に関する（Ａ）は、従来の段ボールＪＩＳコード０２０１（旧形式Ａ−１形）の上面の外側フラップｑ、ｑ’に、切込み部ｍを入れ裏面に切り目を入れた谷折り線ｋ、ｋ’を設けて凸部折り込み部ｓ、ｓ’を形成している。又、下面の外側フラップｒ、ｒ’に、トムソンにて表紙と内芯のみ切り目を入れ、プレスして凹部を設けた展開図である。（Ｂ）は凸部折込み部ｓ、ｓ’を表面に折り返して接着した凸部２ｓ１，２ｓ２，２ｓ３，２ｓ４を示した展開図である。
【図７】は、本発明の第３実施形態における箱容器に関する（Ａ）は、［図６］の（Ｂ）を組み立てた斜視図である。（Ｂ）は、別に組み立てた（Ａ）の箱容器を積層した状態を示す斜視図である。
【図８】は、本発明の第１実施形態における箱容器に関する（Ａ）は、山折り線ＰでフラップＦ４を折り、フラップＦ２の下部に差込み部ｆを嵌入させる直前の状態を示す斜視図である。（Ｂ）は、閉口が完了した状態を示す斜視図である。尚、第２実施形態についても、上記と同様のことが可能である。
【発明を実施するための形態】
【００２４】以下図面に基づいて本発明の実施形態を詳述する。
【００２５】〈全体的構成〉
［図１］の（Ａ）は、本発明の第１実施形態における箱容器の展開図を示している。上面のフラップＦ４のＯ、Ｏ’の線に沿って切込みを入れ、裏面に切れ目を入れた谷折線ｈ、ｈ’によって凸部折り込み部ｇ、ｇ’を折り返して接着することが出来る様にした展開図である。（Ｂ）は、凸部折り込み部ｇ、ｇ’を折り返して接着した凸部２ｇ、２ｇ’が、別に組み立てた箱容器の下面フラップＦ１、Ｆ１’を折り込んで形成したフラップＦ３、Ｆ３’の凹部ｉ、ｉ’に、嵌合するように構成されている。又、以下の図示実施形態は、段ボール箱について説明するが、紙以外の材質の箱形成容器でもよい。
【００２６】［図２］の（Ａ）における容器本体１は、側壁２（Ａ）、２（ｂ）を設けるとともに、側壁から上面に向かって曲折自在な開閉口フラップＪ’、Ｆ２、Ｆ３、Ｆ３’、Ｆ４を延設している。下面には、同様に、開閉口フラップＦ１、Ｆ１’、Ｆ２、Ｆ３、Ｆ３、Ｆ３’、Ｆ４を延設している。
【００２７】箱容器を積層した時に、嵌合するように上下でフラップＦ２とフラップＦ４が、反対側に配置されている。
【００２８】フラップＦ４に延設された差し込み部ｆを設けるとともに、フラップＦ３、Ｆ３’に差し込み部ｆが、フラップＦ２の下部にスムースに嵌入出来る様にするために、切込み部Ｉを設けている。
【００２９】［図３］の（Ｂ）は、本発明の第２実施形態における箱容器を示している。［図２］の（Ａ）と同様に、該容器本体１は、側壁２（ａ）、２（ｂ）を設けるともに、側壁から上面に向かって曲折自在な開閉口フラップ、ｊ’、Ｆ２、Ｆ３、Ｆ３’、Ｆ４を延設している。下面には、同様に、開閉口フラップＦ１、Ｆ１’、Ｆ２、Ｆ３、Ｆ３’、Ｆ４を延設していて，フラップＦ３、Ｆ３’の長さが、側壁２（ｂ）の横幅の二分の一に形成されて、フラップＦ２を完全にカバーし，且、フラップ相互に働く拮抗応力により、閉口しているので座屈することはない。更に、フラップＦ３，Ｆ３’上に切込み部Ｉを設け、又、切込み部Ｉに付帯した切り抜き部Ｅ、Ｅ’を設けるとともに、箱容器の上面、下面のフラップＦ２に切り抜き部Ｂを設けている。
【００３０】［図２］の（Ａ）は、第１実施形態における箱容器に係る、フラップＪ’を内側に折り込み、その上にフラップＦ２を重ねた状態を示す。フラップＪ’によりフラップＦ２の座屈を防止している。（Ｂ）は、フラップＦ２を折り込んだ上に、フラップＦ３、Ｆ３’を重ねた状態を示す。（Ｃ）は、フラップＦ３、Ｆ３’の中央部に、切込み部Ｉを入れることによって、フラップＦ４に延設された差し込み部ｆが、フラップＦ２の下部に嵌入し易い構造に形成されている。更に、フラップＦ２が相対する側壁２（ａ）、２（ａ）に対して支柱の役目を果たし、従来のＡ１形段ボールには無い座屈を防ぐための強度を高めることができる。又、Ｆ３、Ｆ３’の切込み部Ｉの断面とフラップＦ４のシートの断面が接合し、更に、フラップＦ２の下部に差し込み部ｆが嵌入することにより、フラップＦ２とフラップＦ４の先端部の断面が接合するので、相対する側壁２（ｂ）、２（ｂ）の外側よりの衝撃により、箱容器が座屈し難いよう構成されている。
【００３１】［図４］の（Ａ）は、第２実施形態における箱容器に係る、継しろフラップＪ’を内側に折り込み、その上にフラップＦ２を重ねた状態を示す。継しろフラップＪ’がフラップＦ２の座屈を防止する効果を果たしている。（Ｂ）は、フラップＦ２を折り込んだ上に、フラップＦ３、Ｆ３’を重ねた状態を示すが、フラップＦ３、Ｆ３’の長さが箱容器の側面２（ｂ）の長尺部分Ｌの二分の一となっているため、フラップＦ３とフラップＦ３‘が接合する状態を示している。又、切込み部Ｅ、Ｅ’を設けている訳は、切込み部Ｉの機能と同様差し込み部ｆがフラップＦ２の下部に嵌入し易くする為である。（Ｃ）は、箱容器が完全に閉口された状態を示す．
【００３２】［図５］の（Ａ）は、第１実施形態における箱容器に係る、組み立てて完成した箱容器どうしを積層した時、上部フラップＦ４の凸部２ｇ、２ｇ’が、下部フラップＦ１、Ｆ１’の折り込んだフラップＦ３、Ｆ３’の凹部ｉ，ｉ’に嵌合出来る様にした状態を示す。凸部２ｇ、２ｇ’を上部フラップに設けることにより、荷重によって該凸部が潰れるのを、防止出来るメリットがある。第２実施形態においても上記と同様である。（Ｂ）は、箱容器どうしを積層て嵌合した状態を示す斜視図である。
【００３３】［図６］の（Ｂ）を組み立てて箱容器を完成すると、［図７］の（Ａ）の様になり、（Ａ）を互いに積層すれば、［図７］の（Ｂ）の如く凸部２ｓ１、２ｓ２，２ｓ３、２ｓ４と凹部ｎ１、ｎ２、ｎ３、ｎ４が、それぞれ嵌合する様、設計されているのでブロック積しても、荷崩れしない様、構成されている。
【００３４】［図８］の（Ａ）に図示されているように、フラップＦ４に山折り線Ｐを設ける事で、被包装物が、箱容器に満杯に入っている場合、山折り線ＰでフラップＦ４を折り曲げて、差し込み部ｆが、フラップＦ２の下部に嵌入出来るよう構成されている。（Ｂ）は、フラップＦ４に延設された差し込み部ｆが、フラップＦ２の下部に嵌入して、閉口された状態を示す斜視図である。
【００３５】〈作用〉
フラップＦ３、Ｆ３’が箱容器の表面に出ることにより、フラップＦ２が上下面からの衝撃による座屈を防ぐ作用が働く。
【００３６】フラップＦ４に延設された差し込み部ｆの上部を押さえてフラップＦ２の下部に嵌入させるときに、フラップＦ２の座屈防止のため，又、安定した閉口のため、フラップＦ１、Ｆ１’の果たす支持作用がある。
【００３７】従来、偏平状に、数十枚単位で折り畳まれ結束された箱容器が、積み重ねられた状態で供給され、使用時は、事前に，空の組み立てた上部開口の箱容器を、積層して待機させる必要があったが、ガムテープや接着剤等を必要としない該容器においては、即時必要な時に組み立てることが出来るため、省スペースに貢献できる。
【００３８】梱包された複数の被包装物の一部を取り出して、再度閉口する場合においてもイージーに、差し込み部ｆの上部にあるフラップＦ２の開口抑え部Ｇを抑えて開口させたり、場合によっては、フラップＦ４上の山折り線Ｐを折り込み、フラップＦ２の下部にスライド嵌入させることで、閉口出来るので、保管場所で箱容器が開いたままでの放置が防げて、異物の混入を防止することが出来る。
【００３９】従来、通常の箱容器においては、ガムテープや接着剤等で閉口しているので、開口後は、箱容器に剥がれ等の傷が残り、リユースに適さない事が多いが、該箱容器の場合、上記の状態がほとんど発生しないため、通い箱として何度もリユースが可能で、その結果コストを大幅に下げることができる。
【００４０】最終的に使用後の箱容器を、リサイクル業者に回す場合においても、底面のテープをカッター等で、カットして折り畳むのに手間が掛かり、人件費が必要になるが、該箱容器においては、底面の開口抑え部Ｇを抑えることでワンタッチで開口出来、折り畳めるのでコストダウンが可能となる。
【００４１】該箱容器の第１、第２実施形態においても、被包装物を充填してブロック積みした時、凸部２ｇ、２ｇ’が凹部ｉ，ｉ’に嵌合するので、トラックに積んで輸送する時、コーナーや坂道での荷崩れが防止できる。第３実施形態においても、凸部２ｓ１、２ｓ２、２ｓ３、２ｓ４、と凹部ｎ１、ｎ２、ｎ３、ｎ４が嵌合する様設計されているので、同様の作用が働き荷崩れが防止できる。
【００４２】該箱容器の第１、第２実施形態において、箱容器の中に被包装物が満杯に入っている場合において、上部に余裕空間の少ないときには、箱容器のフラップＦ４に設けられた山折り線Ｐで折り曲げ、フラップＦ４に延設された差込み部ｆをフラップＦ２の下部にスライド嵌入させ、閉口出来る。
【符号の説明】
【００４３】１  箱容器
２（ａ）  側壁
２（ｂ）
Ｆ１、Ｆ１’  フラップ
Ｆ２  フラップ
Ｆ３、Ｆ３’  フラップ
Ｆ４  フラップ
ｆ  差込み部
Ｉ  切込み部
Ｇ  開口押え部
Ｂ  切抜き部
Ｅ、Ｅ’  切抜き部
ｇ、ｇ’  凸部折込み部
ｈ、ｈ’  谷折り線
ｉ、ｉ’  凹部
Ｊ  継ぎしろ
Ｊ’  フラップ
２ｇ、２ｇ’  凸部
ｋ、ｋ’  谷折り線
ｓ、ｓ’  凸部折込み部
ｍ  切込み部
ｎ１、ｎ２、ｎ３、ｎ４  凹部
２ｓ１、２ｓ２、２ｓ３、２ｓ４  凸部
ｏ、ｏ’  切込み部
Ｐ  山折り線
ｑ、ｑ’  上面外側フラップ
ｒ、ｒ’  下面外側フラップ
【図１】
2017222420.tif 000003
【図２】
2017222420.tif 000004
【図３】
2017222420.tif 000005
【図４】
2017222420.tif 000006
【図５】
2017222420.tif 000007
【図６】
2017222420.tif 000008
【図７】
2017222420.tif 000009
【図８】
2017222420.tif 000010